(57)【要約】【課題】オフタイマー機能付きテレビジョン受像機において、オフタイマー設定時に画面輝度と音量を自動制御する機能を有するテレビジョン受像機に関する。【解決手段】入力部１１１が、視聴者からのオフタイマー設定の指示を受けた場合、操作検出部１０９を介してオフタイマー設定時間が制御部１０６に設定される。そして制御部１０６は設定時間を時間検出部１０８に送信し、時間検出部は経過時間を管理し、制御部１０６に経過時間を送信する。オフタイマーが設定されると制御部１０６がメモリ１０７に予め格納されている画面輝度と音量の制御値を読み込み、その制御値に基づき現在の設定値から画面輝度と音量を変化させる。制御部１０６がオフタイマー設定時間になったかどうかを判断し、設定時間になった場合は、電源制御部１０５がテレビジョン受像機への電源供給を停止する。【選択図】図１
2007104059.tif 000002
【特許請求の範囲】
【請求項１】
オフタイマー機能を有するテレビジョン受像機において、テレビジョン信号を受信する受信部と、前記受信部からの映像信号を入力して所定の信号処理を施して出力するとともに前記映像信号に含まれる輝度信号の振幅を変化可能な映像処理部と、前記受信部からの音声信号を入力し所定の信号処理を施して出力するとともに前記音声信号の振幅を変化可能な音声処理部と、室内環境の明るさを検出する明るさ検出部と、各種制御値を記憶するメモリとを備え、オフタイマー機能が設定されている時に、前記メモリに記憶されている画面輝度と音量の制御値と前記明るさ検出部からの明るさ情報に基づき、前記映像処理部及び前記音声処理部を制御する制御部とを具備したことを特徴とするテレビジョン受像機。
【請求項２】
時間情報を検出する時間検出部をさらに備え、メモリに記憶されている画面輝度と音量の制御値と、前記時間検出部からの経過時間情報とともに画面輝度と音量を徐々に減衰させて電源をオフにすることを特徴とする請求項１記載のテレビジョン受像機。
【請求項３】
オフタイマー設定時に、視聴環境を検出し、前記メモリに記憶されている画面輝度と音量の制御値に基づき、視聴環境に応じて画面輝度と音量をそれぞれ独立に制御し、オフタイマー設定時間にテレビ電源をオフすることを特徴とした請求項１のオフタイマー機能付きテレビジョン受像機。
【発明の詳細な説明】
【技術分野】
【０００１】
本発明は、オフタイマー機能付きテレビジョン受像機において、オフタイマー設定時に画面輝度と音量を自動制御する機能を有するテレビジョン受像機に関する。
【背景技術】
【０００２】
一般的にテレビジョン受像機のオフタイマー機能は、視聴者が電源を切り忘れることを防ぐための機能である。
【０００３】
従来、オフタイマー機能を備えた従来のテレビジョン受像機では、まず入力手段によりオフタイマーを設定し、設定時間になると制御部（マイコン）が電源制御部にテレビジョン受像機への電源供給を停止するように指示を行うことにより、オフタイマー設定から一定時間経過後にテレビジョン受像機の電源をオフするというものである。
【０００４】
オフタイマー機能は、視聴中に寝入ってしまっても自動的に電源が切れるように設定することが多い。この場合、まず視聴者はテレビジョン画面を見ることを止めて、しばらくの間テレビジョン音声だけを聞く状態になってだんだんと深い眠りに入っていくと思われる。深い睡眠状態に移行していく過程において、画面のパカつきや耳障りな音声などが眠りを妨げるといった問題点が考えられる。
【０００５】
また、オフタイマー設定後は、室内環境としては消灯した状態であり、時間帯としては夜間であることが主であると考えられる。この場合、室内が暗いために画面が明るすぎて見えにくくなるといった問題点や、時間帯が夜間であるために隣室や近隣に対する音漏れといった問題点が考えられる。
【０００６】
上記の問題点を解決するにはオフタイマー設定時に画面輝度や音量を人為的に調整する必要があり、視聴者にとっては設定操作が煩雑で且つ面倒であるとう不都合が生じる。
【０００７】
オフタイマー機能にこのような画面の調整を行うことを付加した技術として、「お休みタイマー付きテレビジョン受像機」がある（特許文献１参照）。
【０００８】
上記の発明は、オフタイマーを設定し、視聴者がテレビジョン音声を聞くだけの状態になったら、テレビジョン表示画面を消して音声だけの状態として消費電力を削減するというものである。
【０００９】
また、オフタイマー機能に画面の明るさと音量を制御することを付加した技術として、「オフタイマー機能付きテレビジョン受像機」がある（特許文献２参照）。
【００１０】
上記の発明は、オフタイマーを設定すると、テレビジョン画面輝度と音量を使用者が予め記憶させておいた状態に切り替わるというものである。
【特許文献１】特開２０００−１２５２２７号公報
【特許文献２】特開２００２−１３５６８３号公報
【発明の開示】
【発明が解決しようとする課題】
【００１１】
上記特許文献１記載の機能では、オフタイマー設定後にテレビジョン表示画面を消すことで、無駄な電力消費や、画面のパカつきに対しては効果があるが、音量に関しては考慮されていない。
【００１２】
上記特許文献２記載の機能では、主に室内を消灯した状態と夜間での、画面の明るさや音量の最適化は図られているが、室内が明るい状態や昼間にオフタイマーを設定した時の画面の明るさや音量に関しては特に考慮されていない。
【００１３】
また従来の画面輝度や音量などの設定値の切換可能なテレビジョン受像機では、視聴者により再設定した後は、視聴者の視聴環境に関わらず、その再設定した設定値で連続的に動作するものであるため、視聴環境が変わった際に、いちいち画面輝度や音量などの設定値を調整しなければならず、視聴者にとっては操作が煩雑であるという問題点がある。
【００１４】
本発明は、上記事情を鑑みてなされたもので、オフタイマーを設定時に、経過時間とともに画面輝度と音量を減衰させる機能と、オフタイマー設定時に視聴者の視聴環境（例えば、室内の明るさ、視聴時間帯  等）を検出し、視聴環境に応じて画面輝度と音量を自動制御する機能を有するオフタイマー機能付きテレビジョン受像機を提供する。
【課題を解決するための手段】
【００１５】
本発明の第１の発明に係るテレビジョン受像機は、オフタイマー機能を有するテレビジョン受像機において、テレビジョン信号を受信する受信部と、前記受信部からの映像信号を入力して所定の信号処理を施して出力するとともに前記映像信号に含まれる輝度信号の振幅を変化可能な映像処理部と、前記受信部からの音声信号を入力し所定の信号処理を施して出力するとともに前記音声信号の振幅を変化可能な音声処理部と、室内環境の明るさを検出する明るさ検出部と、各種制御値を記憶するメモリとを備え、オフタイマー機能が設定されている時に、前記メモリに記憶されている画面輝度と音量の制御値と前記明るさ検出部からの明るさ情報に基づき、前記映像処理部及び前記音声処理部を制御する制御部とを具備するものである。
【００１６】
本発明の第２の発明に係るテレビジョン受像機は、オフタイマーを設定時に、前記メモリに記憶されている画面輝度と音量の制御値に基づき、経過時間とともに画面輝度と音量を徐々に減衰させていき、オフタイマー設定時間にテレビ電源をオフすることを特徴とするものである。
【００１７】
本発明の第３の発明に係るテレビジョン受像機は、オフタイマー設定時に、視聴者の視聴環境（例えば、室内の明るさ、視聴時間帯  等）を検出し、前記メモリに記憶されている画面輝度と音量の制御値に基づき、視聴環境に応じて画面輝度と音量をそれぞれ独立に制御し、オフタイマー設定時間にテレビ電源をオフすることを特徴とするものである。
【発明の効果】
【００１８】
本発明によれば、就寝前にオフタイマーを設定した際に、経過時間とともに画面輝度と音量を減衰させることで、画面のパカつきや耳障りな音声などが眠りを妨げるといった問題点を解消できる。
【００１９】
またオフタイマー設定時に視聴環境（例えば、室内の明るさ、視聴時間帯  等）を検出することで、視聴環境に応じた画面輝度と音量の自動制御を可能とし、画面輝度や音量を人為的に調整するといった設定操作の煩わしさも解消される。
【発明を実施するための最良の形態】
【００２０】
（実施の形態１）
図１は、本発明の実施の形態１に係るテレビジョン受像機を示すブロック図である。
【００２１】
上記テレビジョン受信機は、受信部１００と、音声処理部１０１と、音声出力部１０２と、映像処理部１０３と、映像出力部１０４と、電源制御部１０５と、制御部１０６と、メモリ１０７と、時間検出部１０８と、操作検出部１０９と、明るさ検出部１１０及び入力部１１１から構成される。
【００２２】
受信部１００は、受信したテレビジョン信号に検波処理を施して映像信号と音声信号を出力する。
【００２３】
音声処理部１０１は、制御部１０６からの音量制御信号に基づき、受信部１００から入力された音声信号に所定の信号処理を施して、音声信号の振幅を変化させることで音量を調整する。そして、音声出力部１０２を介して音声信号を再生する。
【００２４】
映像処理部１０３は、制御部１０６からの輝度制御信号に基づき、受信部１００から入力された映像信号に所定の信号処理を施して、映像信号に含まれる輝度信号の振幅を変化させることで画面の明るさを調整する。そして、映像出力部１０４を介して映像信号に基づく画像を表示する。電源制御部１０５は、本体電源のオン／オフを検出し、その情報を制御部１０６に伝える。
【００２５】
制御部１０６は、操作検出部１０９からの入力情報に基づいて、オフタイマーの設定などの各種制御を行う。
メモリ１０７には、上記の音量制御信号や輝度制御信号などの制御値が予め格納されている。
【００２６】
時間検出部１０８は、現在時刻やオフタイマー設定時の経過時間などの時間情報を検出し、制御部１０６がこれを認識し、オフタイマーの経過時間に応じた画面輝度及び音量制御を行うことが可能となる。
【００２７】
操作検出部１０９は、入力部１１１により送信された情報、又は図示しない本体キー操作部などによって発生する操作情報を検出し、その情報を制御部１０６に送信する。
明るさ検出部１１０は、明るさセンサなどを用いて室内の照度を検出し、その情報を制御部１０６に送信する。制御部１０６がこれを認識することで、視聴環境（室内の明るさ）に応じた画面輝度及び音量制御を行うことが可能となる。
【００２８】
入力部１１１は、視聴者からの本体操作情報（電源のオン／オフ、画面輝度調整、音量調整、オフタイマー設定など）を操作検出部１０８に送信し、操作検出部１０８によって受信された操作情報は制御部１０６に供給される。
【００２９】
次に、本発明の実施の形態１におけるオフタイマーを設定すると、経過時間とともに画面輝度と音量を徐々に減衰させていき、オフタイマー設定時間にテレビ電源をオフする処理について、図２に示すフローチャートを用いて説明する。
【００３０】
入力部１１１が、視聴者からのオフタイマー設定の指示を受けた場合（Ｓ１０１）、操作検出部１０９を介してオフタイマー設定時間が制御部１０６に設定される。そして制御部１０６は設定時間を時間検出部１０８に送信し、時間検出部は経過時間を管理し、制御部１０６に経過時間を送信する（Ｓ１０３）。オフタイマーが設定されると制御部１０６がメモリ１０７に予め格納されているオフタイマーの経過時間に対応する画面輝度と音量の制御値を読み込み（Ｓ１０４）、その制御値に基づき現在の設定値から音量と画面輝度を減衰させて（Ｓ１０５）、音量と画面輝度の設定値を更新する（Ｓ１０６）。
【００３１】
この処理をオフタイマー設定時間が経過するまで繰り返す。制御部１０６がオフタイマー設定時間になったかどうかを判断し（Ｓ１０２）、設定時間になった場合は、電源制御部１０５がテレビジョン受像機への電源供給を停止する（Ｓ１０７）。
【００３２】
図４は、本発明の実施の形態１における画面輝度、音量の制御データの一例を示す説明図である。図４を用いて、オフタイマーの設定時間を６０分に設定した時の画面輝度と音量の制御例について説明する。
【００３３】
オフタイマー設定後から１２分間（経過時間２０％）は、画面輝度と音量の出力は共に１００％（オフタイマーが設定された時の画面輝度と音量）となっている。１２分後から音量が徐々に減衰し始め、３０分後（経過時間５０％）には音量が約８０％となる。画面輝度に関しては、２４分後（経過時間４０％）から徐々に減衰し始める。その後、経過時間とともに減衰を続け、オフタイマーの設定時間である６０分後（経過時間１００％）には、音量が１０％、画面輝度が２０％の出力まで下がる。
【００３４】
図４に示すように、オフタイマーの経過時間とともに減衰させた画面輝度と音量が得られるようになっている。今回、オフタイマーの設定時間を６０分に設定した時についてのみ説明したが、様々な設定パターンに対して最適なものとなるように、設定時間ごと（３０分、６０分、９０分、１２０分など）に図４のような画面輝度と音量の減衰カーブを設定することも可能である。
【００３５】
以上のように、本実施の形態では、就寝前にオフタイマーを設定した際に、経過時間とともに画面輝度と音量を減衰させることで、画面のパカつきや耳障りな音声などが眠りを妨げるといった問題点を解消できる。
【００３６】
（実施の形態２）
本発明の実施の形態２におけるオフタイマー設定時に、視聴者の視聴環境（室内の明るさ、視聴時間帯）を検出し、視聴環境に応じて、画面輝度と音量をそれぞれ独立に制御し、オフタイマー設定時間にテレビ電源をオフする処理について、図３に示すフローチャートを用いて説明する。この実施の形態２におけるブロック図としては図１と同様である。
【００３７】
入力部１１１が、視聴者からのオフタイマー設定の指示を受けた場合（Ｓ２０１）、操作検出部１０９を介してオフタイマー設定時間が制御部１０６に設定される。また明るさ検出部１１０は、明るさセンサを用いて室内の照度を検出し、その情報を制御部１０６に送信する（Ｓ２０２）。次に制御部１０６がこれを認識し、メモリ１０７に格納されている室内照度に対応する画面輝度の制御値を読み込み（Ｓ２０３）、その制御値に基づき現在の室内照度に対応する画面輝度を設定する（Ｓ２０４）。
【００３８】
次に時間検出部１０８は、現在時刻を読み出し、その情報を制御部１０６に送信する（Ｓ２０５）。次に制御部１０６がこれを認識し、メモリ１０７に格納されている視聴時間帯に対応する音量の制御値を読み込み（Ｓ２０６）、その制御値に基づき現在の視聴時刻に対応する音量を設定する（Ｓ２０７）。
【００３９】
そして制御部１０６は設定時間を時間検出部１０８に送信し、時間検出部は経過時間を管理し、制御部１０６に経過時間を送信する。制御部１０６がオフタイマー設定時間になったかどうかを判断し（Ｓ２０８）、設定時間になった場合は、電源制御部１０５がテレビジョン受像機への電源供給を停止する（Ｓ２０９）。
【００４０】
図５は、本発明の実施の形態における「室内照度に対応する画面輝度の制御値」の一例を示す説明図である。オフタイマー設定時に明るさセンサを用いて室内の照度を検出し、その照度に基づいて図５のように画面輝度を調整する。図５の設定例では、日中に室内が点灯した状態の照度を１００、オフタイマーが設定された時の画面輝度を１００％とした場合、室内照度が０から５０（室内が暗い状態）の時は画面輝度の出力を７０％に設定し、室内照度が５０から１００（室内が明るい状態）の時は画面輝度の出力を１００％（オフタイマー設定時のまま）に設定する。
【００４１】
図６は、本発明の実施の形態における「視聴時間帯に対応する音量の制御値」の一例を示す説明図である。オフタイマー設定時に視聴時間帯を検出し、その視聴時刻に基づいて図６のように音量を調整する。図６の設定例では、オフタイマーが設定された時の音量を１００％とした場合、午前０時から午前７時までは音量を６０％に設定し、午前７時から午後１８時までは１００％に設定し（オフタイマー設定時のまま）、午後１８時から午後２２時までは８０％に設定し、午後２２時から午前０時までは６０％に設定する。
【００４２】
但し、これらの設定値は視聴者の利用形態や生活形態に大きく依存するため、様々な形態に対応できるように設定値を変更することが可能である。
【００４３】
以上のように、本実施の形態では、オフタイマー設定時に視聴環境である室内の明るさ、または視聴時間帯等を検出することで、視聴環境に応じた画面輝度と音量の自動制御が可能となるため、画面輝度や音量を人為的に調整するといった設定操作の煩わしさが解消される。
【産業上の利用可能性】
【００４４】
本発明によれば、就寝前にオフタイマーを設定した際に、経過時間とともに画面輝度と音量を徐々に減衰させることで、画面のパカつきや耳障りな音声などが眠りを妨げるといった問題点を解消できる。またオフタイマー設定時に視聴環境（室内の明るさ、視聴時間帯）を検出することで、視聴環境に応じた画面輝度と音量の自動制御が可能となるため、画面輝度や音量を人為的に調整するといった設定操作の煩わしさも解消することができ、オフタイマー機能を有する機器に関して有用である。
【図面の簡単な説明】
【００４５】
【図１】本発明のテレビジョン受像機の一構成例を示すブロック図
【図２】本発明の（実施の形態１）について説明するためのフローチャート
【図３】本発明の（実施の形態２）について説明するためのフローチャート
【図４】本発明の（実施の形態１）における画面輝度と音量との対応制御値の一例を示す図
【図５】本発明の（実施の形態２）における室内照度と画面輝度との対応制御値の一例を示す図
【図６】本発明の（実施の形態２）における視聴時間帯と音量の対応制御値の一例を示す図
【符号の説明】
【００４６】
１００    受信部
１０１    音声処理部
１０２    音声出力部
１０３    映像処理部
１０４    映像出力部
１０５    電源制御部
１０６    制御部
１０７    メモリ
１０８    時間検出部
１０９    操作検出部
１１０    明るさ検出部
１１１    入力部  
【図１】
2007104059.tif 000003
【図２】
2007104059.tif 000004
【図３】
2007104059.tif 000005
【図４】
2007104059.tif 000006
【図５】
2007104059.tif 000007
【図６】
2007104059.tif 000008